(57)【要約】【課題】申請文書に添付された書類等を効率よく印刷することで、ユーザの添付書類の印刷にかかる作業負荷を軽減することが可能な情報処理装置、情報処理システム、制御方法、及びプログラムを提供する。【解決手段】申請待ち一覧画面１０００に表示されたメールを選択した後、印刷１００３を押下すると、メール及び添付データを印刷する指示が添付データ解析サーバ１０４へ送信され、添付データ解析サーバ１０４は、メール及び添付データを印刷可能な形式として印刷データを複合機１０６へ送信し、複合機１０６は、印刷データを受信すると、そのまま、当該印刷データの印刷を行って、印刷完了通知をクライアントＰＣ１０２に送信する。【選択図】図４
2018005444.tif 000002
【特許請求の範囲】
【請求項１】
ファイルが添付された申請を受付ける申請受付手段と、
前記申請受付手段によって受付けた申請に添付されたファイルの印刷の要求を印刷装置に行う印刷要求手段と、
前記申請に対する承認を行う承認手段と、
を備えたことを特徴とする情報処理装置。
【請求項２】
前記申請受付手段は、前記申請に関しての再申請を受付け、
前記印刷要求手段によって印刷の要求を行った添付されたファイルに関する情報を記憶する記憶手段を備え、
前記印刷要求手段は、前記再申請に添付されたファイルと前記記憶手段に記憶された添付されたファイルに関する情報とに基づいて、前記再申請の際に変更された前記添付されたファイルの印刷を印刷装置へ要求することを特徴とする請求項１に記載の情報処理装置。
【請求項３】
前記申請受付手段は、前記再申請を行うときに、全ての添付されたファイルを印刷するか、再申請の際に変更された添付されたファイルを印刷するかの選択を受付け、
前記印刷要求手段は、前記全ての添付されたファイルを印刷する選択を受付けた場合は、再申請に添付された全てのファイルの印刷を印刷装置に要求し、一方、前記再申請の際に変更された添付されたファイルを印刷する選択を受付けた場合は、前記再申請の際に変更された前記添付されたファイルの印刷を印刷装置へ要求することを特徴とする請求項２に記載の情報処理装置。
【請求項４】
印刷の要求を受けた前記印刷装置において前記添付されたファイルの印刷データを記憶し、
前記印刷装置から未印刷の通知を受信する受信手段を備えたことを特徴とする請求項１乃至３の何れか１項に記載の情報処理装置。
【請求項５】
申請を行うためのクライアント端末、前記申請に係る印刷の制御を行う情報処理装置、及び前記申請に係る印刷を行う印刷装置がネットワークを介して接続された情報処理システムであって、
前記クライアント端末は、
ファイルが添付された申請を行う申請手段を備え、
前記情報処理装置は、
前記申請手段によって申請された申請を受付ける申請受付手段と、
前記申請受付手段によって受付けた申請に添付されたファイルの印刷の要求を印刷装置に行う印刷要求手段と、
を備え、
前記印刷装置は、
前記申請に対する承認を行う承認手段、
を備えたことを特徴とする情報処理システム。
【請求項６】
印刷装置へ印刷指示を行う情報処理装置の制御方法であって、
前記情報処理装置は、
ファイルが添付された申請を受付ける申請受付ステップと、
前記申請受付ステップによって受付けた申請に添付されたファイルの印刷の要求を前記印刷装置に行う印刷要求ステップと、
前記申請に対する承認を行う承認ステップと、
を実行することを特徴とする情報処理装置の制御方法。
【請求項７】
印刷装置へ印刷指示を行う情報処理装置で読み取り実行可能なプログラムであって、
前記情報処理装置を、
ファイルが添付された申請を受付ける申請受付手段と、
前記申請受付手段によって受付けた申請に添付されたファイルの印刷の要求を印刷装置に行う印刷要求手段と、
前記申請に対する承認を行う承認手段と、
して機能させることを特徴とするプログラム。
【請求項８】
申請を行うためのクライアント端末、前記申請に係る印刷の制御を行う情報処理装置、及び前記申請に係る印刷を行う印刷装置がネットワークを介して接続された情報処理システムの制御方法であって、
前記クライアント端末は、
ファイルが添付された申請を行う申請ステップを実行し、
前記情報処理装置は、
前記申請ステップによって申請された申請を受付ける申請受付ステップと、
前記申請受付ステップによって受付けた申請に添付されたファイルの印刷の要求を印刷装置に行う印刷要求ステップと、
を実行し、
前記印刷装置は、
前記申請に対する承認を行う承認ステップ、
を実行することを特徴とする情報処理システムの制御方法。
【請求項９】
申請を行うためのクライアント端末、前記申請に係る印刷の制御を行う情報処理装置、及び前記申請に係る印刷を行う印刷装置がネットワークを介して接続された情報処理システムで読み取り実行可能なプログラムあって、
前記クライアント端末を、
ファイルが添付された申請を行う申請手段として機能させ、
前記情報処理装置を、
前記申請手段によって申請された申請を受付ける申請受付手段と、
前記申請受付手段によって受付けた申請に添付されたファイルの印刷の要求を印刷装置に行う印刷要求手段と、
して機能させ、
前記印刷装置を、
前記申請に対する承認を行う承認手段、
として機能させることを特徴とするプログラム。
【発明の詳細な説明】
【技術分野】
【０００１】
本発明は、印刷装置に対して印刷指示が可能な仕組みにおいて、特に申請文書に添付されたファイルに関して印刷装置に対して印刷指示を行う仕組みに関する。
【背景技術】
【０００２】
現代では、メールによる注文の受け付け業務などを行うことが一般化しており、例えば本文に注文内容が書かれ、注文に必要な書類、資料などが添付ファイルとして送られ、メールを受け取った担当者は、注文内容、添付ファイルを確認し、内容に過不足がなければ社内のワークフローを開始する、といった業務が考えられる。
【０００３】
このような業務においては、添付ファイルを紙に出力し、書類等の記載内容等を確認する運用がとられるが、その際に、既に紙に出力した添付ファイルを誤って、紙に出力してしまうことで紙の無駄が発生してしまう。
【０００４】
そこで、紙の無駄を削減するために、会議資料を紙に出力したユーザを管理しておき、会議資料を印刷していないユーザ分の会議資料を紙に出力する技術が存在する（例えば、特許文献１参照）。
【先行技術文献】
【特許文献】
【０００５】
【特許文献１】特開２００７−２０７０４９
【発明の概要】
【発明が解決しようとする課題】
【０００６】
しかしながら、添付ファイルを紙に出力する場合、ユーザは、各添付ファイルを選択して印刷指示を行って印刷することが通常行われており、１つのメールに複数の添付ファイルが存在するとき、１つ１つ添付ファイルを選択して印刷指示を行い印刷することは、担当者にとって作業負荷となりかねない。
【０００７】
特許文献１に記載の技術では、紙の無駄を削減することが可能であるが、添付ファイルを選択して印刷指示を行い印刷するといった、担当者の作業負荷にかかる問題については、記載や示唆はない。
【０００８】
そこで、本発明では、申請文書に添付されたファイルを効率よく印刷することで、ユーザの添付ファイルの印刷にかかる作業負荷を軽減することが可能な情報処理装置、情報処理システム、制御方法、及びプログラムを提供することを目的とする。
【課題を解決するための手段】
【０００９】
上記課題を鑑みて、本発明は、ファイルが添付された申請を受付ける申請受付手段と、前記申請受付手段によって受付けた申請に添付されたファイルの印刷の要求を印刷装置に行う印刷要求手段と、前記申請に対する承認を行う承認手段と、を備えたことを特徴とする。
【発明の効果】
【００１０】
本発明によれば、申請文書に添付されたファイルを効率よく印刷することで、ユーザの添付ファイルの印刷にかかる作業負荷を軽減することができる、という効果を奏する。
【図面の簡単な説明】
【００１１】
【図１】情報処理システムの構成図である。
【図２】添付データ解析サーバ、クライアントＰＣに適用可能な情報処理装置のハードウエア構成を示すブロック図である。
【図３】複合機のコントローラユニットのハードウエア構成の一例を示すブロック図である。
【図４】メール本文及び添付データの印刷処理を示すフローチャートある。
【図５】メール・添付データ処理を示すフローチャートである。
【図６】承認処理を示すフローチャートである。
【図７】再申請処理を示すフローチャートである。
【図８】変更分印刷準備処理を示すフローチャートである。
【図９】ユーザ情報テーブルの構成図である。
【図１０】メール情報テーブルの構成図である。
【図１１】添付データ情報テーブルの構成図である。
【図１２】印刷データ情報テーブルの構成図である。
【図１３】ログイン画面の構成図である。
【図１４】メニュー画面の構成図である。
【図１５】申請待ち一覧画面の構成図である。
【図１６】メール・添付データ全印刷画面の構成図である。
【図１７】再申請一覧画面の構成図である。
【図１８】印刷方法選択画面の構成図である。
【図１９】メール添付データ変更分印刷画面の構成図である。
【図２０】承認者ログイン画面の構成図である。
【図２１】承認待ち画面の構成図である。
【図２２】承認・否認選択画面の構成図である。
【図２３】承認画面の構成図である。
【図２４】申請待ち一覧画面の構成図である。
【図２５】ジョブ一覧画面の構成図である。
【発明を実施するための形態】
【００１２】
以下、図面を参照して、本発明の実施形態を詳細に説明する。
【００１３】
図１は、本発明の情報処理システムの構成の一例を示すシステム構成図である。
【００１４】
図１は、情報処理システム１００は、１又は複数のクライアントＰＣ１０２、１又は複数の添付データ解析サーバ１０４、及び１又は複数の複合機１０６がローカルエリアネットワーク（ＬＡＮ）１０８を介して接続される構成となっている。
【００１５】
クライアントＰＣ１０２は、ユーザからの操作指示に応じて、添付データ解析サーバ１０４に対して申請指示を行ったり、複合機１０６に対して印刷指示を行う。あるいは、承認者が当該申請に対して承認を行ったりするものである。
【００１６】
添付データ解析サーバ１０４は、受信したメールに添付されたファイルの解析を行うと共に、当該添付ファイルに関して、複合機１０６に対して印刷指示を行う。
【００１７】
また、本実施形態の情報処理システム１００は、上述した構成の１又は複数の複合機１０６、１又は複数の添付データ解析サーバ１０４、ＬＡＮ１０８を介して接続される構成の１又は複数のＷＡＮを介して接続される構成であってもよい。
【００１８】
以下、図２を用いて、図１に示したクライアントＰＣ１０２、添付データ解析サーバ１０４に適用可能な情報処理装置のハードウエア構成について説明する。
【００１９】
図２は、図１に示したクライアントＰＣ１０２、添付データ解析サーバ１０４に適用可能な情報処理装置のハードウエア構成を示すブロック図である。
【００２０】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２１】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２２】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。
【００２３】
なお、図２では、ＣＲＴ２１０と記載しているが、表示器はＣＲＴだけでなく、液晶ディスプレイ等の他の表示器であってもよい。これらは必要に応じて管理者が使用するものである。
【００２４】
２０７はメモリコントローラで、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２５】
２０８は通信Ｉ／Ｆコントローラで、ネットワーク（例えば、図１に示したＬＡＮ１０８）を介して外部機器と接続・通信するものであり、ネットワークでの通信制御処理を実行する。例えば、ＴＣＰ／ＩＰを用いた通信等が可能である。
【００２６】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２７】
本発明を実現するための後述する各種プログラムは、外部メモリ２１１に記録されており、必要に応じてＲＡＭ２０３にロードされることによりＣＰＵ２０１によって実行されるものである。
【００２８】
さらに、上記プログラムの実行時に用いられる定義ファイル及び各種情報テーブル等も、外部メモリ２１１に格納されており、これらについての詳細な説明も後述する。
【００２９】
次に、図３を用いて、本発明の印刷装置としての複合機１０６を制御するコントローラユニットのハードウエア構成について説明する。
【００３０】
図３は、図１に示した複合機１０６のコントローラユニットのハードウエア構成の一例を示すブロック図である。
【００３１】
図３において、３１６はコントローラユニットで、画像入力デバイスとして機能するスキャナ３１４や、画像出力デバイスとして機能するプリンタ部３１２と接続する一方、ＬＡＮ（例えば、図１に示したＬＡＮ１０８）や公衆回線（ＷＡＮ）（例えば、ＰＳＴＮまたはＩＳＤＮ等）と接続することで、画像データやデバイス情報の入出力を行う。
【００３２】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００３３】
３０３はＲＯＭで、システムのブートプログラムや各種制御プログラムが格納されている。３０４はハードディスクドライブ（ＨＤＤ）で、システムを制御するための各種プログラム，画像データ等を格納する。
【００３４】
３０７は操作部インタフェース（操作部Ｉ／Ｆ）で、操作部（キーボード）３０８とのインタフェース部である。また、操作部Ｉ／Ｆ３０７は、操作部３０８から入力したキー情報（例えば、スタートボタンの押下）をＣＰＵ３０１に伝える役割をする。
【００３５】
３０５はネットワークインタフェース（Ｎｅｔｗｏｒｋ  Ｉ／Ｆ）で、ネットワーク（ＬＡＮ１０８）に接続する。また、無線通信も可能な構成となっており、赤外線やＢｌｕｅｔｏｏｔｈ（登録商標）、Ｗｉ-Ｆｉ（登録商標）を用いた通信にて他の装置と接続する。データの入出力を行う。３０６はモデム（ＭＯＤＥＭ）で、公衆回線に接続し、外部機器に対して送受信等のデータの入出力を行う。
【００３６】
３１８は外部インタフェース（外部Ｉ／Ｆ）で、ＵＳＢ、ＩＥＥＥ１３９４、プリンタポート、ＲＳ−２３２Ｃ等の外部入力を受け付けるＩ／Ｆ部であり、本実施形態においては認証で必要となる携帯端末のＩＣカード（記憶媒体）の読み取り用のカードリーダ３１９が外部Ｉ／Ｆ部３１８に接続されている。
【００３７】
そして、ＣＰＵ３０１は、この外部Ｉ／Ｆ３１８を介してカードリーダ３１９による携帯端末のＩＣカードからの情報読み取りを制御し、該携帯端末のＩＣカードから読み取られた情報を取得可能である。以上のデバイスがシステムバス３０９上に配置される。
【００３８】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
【００３９】
画像バス３１５は、ＰＣＩバスまたはＩＥＥＥ１３９４で構成される。画像バス３１５上には以下のデバイスが配置される。
【００４０】
３１０はラスタイメージプロセッサ（ＲＩＰ）で、例えば、ＰＤＬコード等のベクトルデータをビットマップイメージに展開する。
【００４１】
３１１はプリンタインタフェース（プリンタＩ／Ｆ）で、プリンタ部３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００４２】
３１７は画像処理部で、入力画像データに対し補正、加工、編集を行ったり、プリント出力画像データに対して、補正、解像度変換等を行う。
【００４３】
また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００４４】
スキャナ部３１４は、原稿となる紙上の画像を照明し、ＣＣＤラインセンサで走査することで、ラスタイメージデータとして電気信号に変換する。
【００４５】
原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００４６】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。
【００４７】
プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００４８】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。
【００４９】
また、操作部３０８は、各種操作キーとして、例えば、スタートキー、ストップキー、ＩＤキー、リセットキー等を備える。
【００５０】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。
【００５１】
また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００５２】
カードリーダ３１９は、ＣＰＵ３０１からの制御により、ＩＣカード（ＩＣチップとして携帯端末内に備えられていてもよい）に記憶されている情報を読み取り、該読み取った情報を外部Ｉ／Ｆ３１８を介してＣＰＵ３０１へ通知する。
【００５３】
また、カードリーダ３１９はＮＦＣの通信規格に対応しており、ＩＣカードや携帯端末のＩＣチップへの読み書きを行うことが可能な構成となっている。
【００５４】
なお、ＮＦＣ規格対応のカードリーダに、ＮＦＣ規格対応の携帯端末をかざすと、認証を行い、携帯端末と複合機とのペアリングを行う。そして、かざされた携帯端末と複合機で通信（Ｐ２Ｐ）を確立してデータの通信を行うことが可能である。
【００５５】
その他、高速通信規格である、Ｂｌｕｅｔｏｏｔｈ（登録商標）やＷｉ-Ｆｉ（登録商標）に通信を引き継ぎ（ハンドオーバー）、携帯端末と複合機間で通信を行わせることも可能である。
【００５６】
例えば、携帯端末をカードリーダにかざすことで、携帯端末に記憶されている画像を複合機へ送信することが可能となる。なお、ＮＦＣの通信規格の詳細は、従来技術であるため、説明を省略するものとする。
【００５７】
上述した複合機１０６では、複合機１０６を制御するためのプラットフォームが存在し、このプラットフォーム上で、認証サーバ（不図示）と通信するための認証アプリケーションが動作している。認証アプリケーションはＨＤＤ３０４に記憶されている。
【００５８】
プラットフォームが管理する、ログイン時にユーザ情報を格納するログインコンテキストや、各種設定情報は、ＨＤＤ３０４上に領域が確保されている。
【００５９】
また、プラットフォーム上には、複合機１０６の本体機能を拡張したアプリケーションがインストールされ、動作している。これらアプリケーションは、プラットフォームのＡＰＩを用いて実行される。
【００６０】
このプラットフォームを介して、複合機の各機能を制御することが可能な構成となっている。
【００６１】
また、複合機１０６には、Ｗｅｂブラウザも記憶されており、Ｗｅｂシステムと連携することも可能である。この場合、Ｗｅｂアプリケーションサーバから受信した画面を、Ｗｅｂブラウザを用いて表示する。
【００６２】
Ｗｅｂブラウザ上で指示した命令は、Ｗｅｂアプリケーションサーバへ要求がなされ、Ｗｅｂアプリケーションサーバからの命令を受け付けることによって、複合機１０６により動作（スキャンやプリント処理）を実行することが可能である。
【００６３】
以上のような構成によって、複合機１０６は、スキャナ３１４から読み込んだ画像データをＬＡＮ１０８上に送信したり、ＬＡＮ１０８から受信した印刷データをプリンタ部３１２により印刷出力することができる。
【００６４】
また、スキャナ３１４から読み込んだ画像データをモデム３０６により、公衆回線上にＦＡＸ送信したり、公衆回線からＦＡＸ受信した画像データをプリンタ部３１２により出力することできる。
【００６５】
以下、図４に示すフローチャートを用いて、メール本文及び添付データの印刷処理について説明する。
【００６６】
本処理は、クライアントＰＣ１０２、添付データ解析サーバ１０４、及び複合機１０６にて実施される。
【００６７】
ステップＳ１０１では、クライアントＰＣ１０２は、ユーザ操作により本情報処理システム１００へのアクセスがなされ、システムログイン画面８００（図１３参照）を表示する。
【００６８】
続けて、ユーザ操作によりログインＩＤ８０１、パスワード８０２に対してユーザＩＤ、パスワードがそれぞれ入力され、ユーザ操作によりログイン８０３が押下されたことを検知すると、入力されたログインＩＤ、パスワードを添付データ解析サーバ１０４へ送信する。
【００６９】
添付データ解析サーバ１０４は、受信したログインＩＤ、パスワードに関して、自身に備えたユーザ情報テーブル４００（図９参照）に問合わせる。
【００７０】
図９は、ユーザ情報テーブル４００の一例を示すデータ構造図である。図４に示すように、ユーザ情報テーブル４００は、ユーザを一意に識別するユーザＩＤ４０１、ユーザの名称を示すユーザ名４０２、ユーザのパスワード４０３から構成される。
【００７１】
本ステップにおいて、ログインＩＤ、パスワードと一致するユーザＩＤ４０１、パスワード４０３が共に該当する組み合わせが存在すれば、本情報処理システム１００への認証が行われてユーザがログインし、組み合わせが存在しない場合はログインエラー（不図示）がされる。
【００７２】
ステップＳ１０２では、クライアントＰＣ１０２は、ステップＳ１０１によりログインが行われた後、メニュー画面９００（図１４参照）を表示する。
【００７３】
ステップＳ１０３では、クライアントＰＣ１０２は、ユーザ操作によって申請待ち９０１が押下されたことを検知すると、ステップＳ１０４では、クライアントＰＣ１０２は、申請待ち一覧画面１０００（図１５参照）を表示する。
【００７４】
申請待ち一覧画面１０００には、メール情報テーブル５００（詳細後述）に記憶しているメール情報のうち申請状況５０４が未申請のレコードが表示される。
【００７５】
未申請のレコードとは、例えば、ユーザ宛に外部のシステムから送信されたメールをメール情報テーブル５００に記憶すると、当該メールに関する情報を未申請のものとして、記憶される。ユーザは、この未申請のメールを参照し、申請が必要なメールを選択して申請を行っている。
【００７６】
ステップＳ１０５では、クライアントＰＣ１０２は、ユーザ操作によって、申請待ち一覧画面１０００に表示されているメールが選択されることを検知する。図示している例として、メールＢ１００１が選択されているが、他のメールが選択された場合でも同様の動作をする。
【００７７】
ステップＳ１０６では、クライアントＰＣ１０２は、ユーザ操作によって印刷１００２が押下される。
【００７８】
ステップＳ１０７では、クライアントＰＣ１０２は、ステップＳ１０５において選択されたメールに関する情報（メール情報）を添付データ解析サーバ１０４に送信する。
【００７９】
ステップＳ１０８では、添付データ解析サーバ１０４は、ステップＳ１０７においてクライアントＰＣ１０２より送信されたメール情報を受信する。
【００８０】
ステップＳ１０９では、添付データ解析サーバ１０４は、ステップＳ１０８において受信したメール情報に基づいて自身に備えたメール情報テーブル５００に問合せる（図１０参照）。図示している例としては、ステップＳ１０５において選択されたメールＢのメール情報に基づいて問合せを行う。
【００８１】
図１０は、メール情報テーブルの一例を示すデータ構造図である。図１０に示すように、メール情報テーブルは、メールを一意に識別するメールＩＤ５０１、メールの件名を示すメールタイトル５０２、メールの本文５０３、メールの申請状況５０４から構成される。
【００８２】
申請状況５０４としては、０が「未申請」、１が「申請済み」、２が「再申請」、３が「承認」を示している。
【００８３】
ステップＳ１１０では、添付データ解析サーバ１０４は、該当するデータ、図示している例では、メールＢに該当するレコード５０５を取得する。
【００８４】
ステップＳ１１１では、添付データ解析サーバ１０４は、ステップＳ１１０において取得したメールのメール・添付データ処理 (図５参照)を行う。
【００８５】
ステップＳ１１２では、添付データ解析サーバ１０４は、印刷するメール本文、添付データを印刷用に変換した印刷データ一式（後述のリスト化されたレコード）を複合機１０６に送信する。
【００８６】
この各印刷データには、メールＩＤを含む構成でも良いし、印刷データを一意に識別するために発番したジョブＩＤに対応付けてメールＩＤを記憶しておき、各印刷データにはジョブＩＤを含む構成でも良い。または、ジョブＩＤ及びメールＩＤを印刷データに含む構成でも良い。
【００８７】
ステップＳ１１３では、複合機１０６は、ステップＳ１１２において添付データ解析サーバ１０４より送信された該印刷データ一式を受信する。
【００８８】
ステップＳ１１４では、複合機１０６は、ステップＳ１１３において受信した印刷データ一式に関して印刷を行う。
【００８９】
ステップＳ１１５では、複合機１０６は、添付データ解析サーバ１０４に対して印刷完了通知を送信する。この際に、メールＩＤを含めて通知を行っても良いし、ジョブＩＤを含めて通知を行っても良い。さらには、ジョブＩＤ及びメールＩＤを含めて通知を行っても良い。何れの方法を適用するかは、ステップＳ１１２に前述した方法に準じる。
【００９０】
ステップＳ１１６では、添付データ解析サーバ１０４は、ステップＳ１１５において送信された印刷完了通知を受信する。受信後、印刷が完了したメールのメールＩＤに基づいてメール情報テーブル５００のレコード５０５の申請状況５０４を０から１に変更する。
【００９１】
ステップＳ１１７では、添付データ解析サーバ１０４は、メール・添付データ印刷完了通知をクライアントＰＣ１０２に送信する。
【００９２】
ステップＳ１１８では、クライアントＰＣ１０２は、ステップＳ１１７において添付データ解析サーバ１０４から送信されたメール・添付データ印刷完了通知を受信する。
【００９３】
ステップＳ１１９では、クライアントＰＣ１０２は、印刷完了画面１１００（図１６参照）を表示する。
【００９４】
ステップＳ１２０では、クライアントＰＣ１０２は、ユーザ操作によりＯＫ１１０１が押下されたことを検知して処理を終了する。
【００９５】
図２１に示すフローチャートを用いて、メール・添付データ処理について説明する。尚、本処理については、添付データ解析サーバ１０４において実行される。
【００９６】
ステップＳ２０１では、メール情報テーブル５００、添付データ情報テーブル６００（図１１参照）に問い合わせをし、該当するデータを取得する。
【００９７】
図１１には、添付データ情報テーブルの一例を示すデータ構造図である。図１１に示すように、添付データ情報テーブルは、添付データを一意に識別するための添付データＩＤ６０１、メールを一意に識別するためのメールＩＤ６０２（メールＩＤ５０１に該当）、添付データを保管しているディレクトリを示す添付データ６０３から構成される。
【００９８】
本ステップでは、図示している例の場合、メールＢ（つまり、メールIDがＭ０００２のもの）に該当するレコード５０５、レコード６０４、レコード６０５を取得する。取得したレコードを印刷リストとしてリスト化する。
【００９９】
ステップＳ２０２では、ステップＳ２０１において作成したリストにデータがあるか否かを判定し、存在すると判定した場合は、ステップＳ２０３へ処理を進め、存在すると判定しない場合は、ステップＳ２０７へ処理を進める。
【０１００】
ステップＳ２０３では、ステップＳ２０１において作成したリストの一番上からレコードを１件取得する。
【０１０１】
ステップＳ２０４では、ステップＳ２０３で取得したレコードを複合機１０６で印刷可能な形式にデータ変換する。例えば、取得したレコードをＰＤＦ形式のファイルへデータ変換する。
【０１０２】
ステップＳ２０５では、ステップＳ２０４において変換したレコードを印刷データ情報テーブル７００に登録する。
【０１０３】
図１２には、印刷データ情報テーブル７００の一例を示すデータ構造図が示されている。図１２に示すように、印刷データ情報テーブル７００は、印刷データを一意に識別するための管理ＩＤ７０１、メールを一意に識別するためのメールＩＤ７０２（メールＩＤ５０１に該当）、印刷データが保管されているディレクトリを示すデータ７０３から構成される。
【０１０４】
ステップＳ２０６では、ステップＳ２０３において取得したレコードをリストから削除する。削除後、ステップＳ２０２の処理を続けて行う。
【０１０５】
ステップ２０７では、ステップＳ２０２においてリストにレコードがなくなったと判定した場合に処理を行う。
【０１０６】
本ステップでは、印刷データ情報テーブル７００から該当する印刷データをすべて取得し、リスト化する。図示している例では、メールＢに該当するメールＩＤ７０２が、Ｍ０００２であるレコードをすべて取得し、リスト化する。
【０１０７】
図６に示すフローチャートを用いて、承認処理について説明する。
【０１０８】
ステップＳ３０１では、クライアントＰＣ１０２は、ユーザ操作により情報処理システム１００の承認者ログイン画面１５００（図２０参照）へのアクセスがなされ、承認者ログイン画面１５００を表示する。
【０１０９】
尚、このときのクライアントＰＣ１０２は、承認者用のクライアントＰＣ１０２であっても良く、ステップＳ１０１でログインしたときのクライアントＰＣ１０２とは異なるものであって良い。
【０１１０】
続けてユーザ操作によりログインＩＤ１５０１、パスワード１５０２に対して、ユーザＩＤ、パスワードが入力され、ユーザ操作によりログイン１５０３が押下されると、入力されたログインＩＤ、パスワードを添付データ解析サーバ１０４に送信する。
【０１１１】
添付データ解析サーバ１０４は、自身に備えたユーザ情報テーブル４００に問合わせを行い、ログインＩＤ、パスワードと一致するユーザＩＤ４０１、パスワード４０３が共に該当する組み合わせが存在すれば、本情報処理システム１００への認証が行われて承認者がログインし、組み合わせが存在しない場合はログインエラー（不図示）がされる。
【０１１２】
ステップＳ３０２では、クライアントＰＣ１０２は、ステップＳ３０１においてログインが行われた場合、承認待ち画面１６００（図２１参照）を表示する。
【０１１３】
承認待ち画面１６００には、メール情報テーブル５００に記憶しているメール情報のうち申請状況５０４が申請済みのレコードが表示される。
【０１１４】
ステップＳ３０３では、クライアントＰＣ１０２は、ユーザ操作によって承認待ちのレコード１６０１が選択され、ユーザ操作によって選択１６０２が押下される。
【０１１５】
ステップＳ３０４では、クライアントＰＣ１０２は、承認・否認選択画面１７００（図２２参照）を表示し、ユーザ操作によって承認１７０１が押下された場合は、ステップＳ３０６を実行し、否認１７０２が押下された場合は、ステップＳ３０５を実行する。
【０１１６】
ステップＳ３０５では、添付データ解析サーバ１０４は、ステップＳ３０３において選択したレコードに関してメール情報テーブル５００に問い合わせ、該当するレコードの申請状況５０４を２に変更する。
【０１１７】
ステップＳ３０６では、添付データ解析サーバ１０４は、ステップＳ３０３において選択したレコードに関してメール情報テーブル５００に問い合わせ、該当するレコードの申請状況５０４を３に変更する。
【０１１８】
ステップＳ３０７では、添付データ解析サーバ１０４は、変更完了通知をクライアントＰＣ１０２に送信する。
【０１１９】
ステップＳ３０８では、クライアントＰＣ１０２は、ステップＳ３０７において送信された変更完了通知を受信する。
【０１２０】
ステップＳ３０９では、クライアントＰＣ１０２は、承認画面１８００（図２３参照）を表示する。
【０１２１】
ステップＳ３１０では、クライアントＰＣ１０２は、ユーザ操作によりＯＫ１８０１が押下されると、本処理を終了する。
【０１２２】
次に、図７に示すフローチャートを用いて再申請処理について説明する。
【０１２３】
ステップＳ４０１では、クライアントＰＣ１０２は、ユーザ操作により本情報処理システム１００へのアクセスがなされ、システムログイン画面８００が表示される。
【０１２４】
続けてユーザ操作によりログインＩＤ８０１、パスワード８０２に対してユーザＩＤ、パスワードが入力され、ユーザ操作によりログイン８０３が押下されると、入力されたログインＩＤ、パスワードを添付データ解析サーバ１０４へ送信する。
【０１２５】
添付データ解析サーバ１０４は、ログインＩＤ、パスワードを用いてユーザ情報テーブル４００に問合わせ、ユーザＩＤ４０１、パスワード４０３と共に該当する組み合わせが存在すれば、本情報処理システム１００への認証が行われてユーザがログインし、組み合わせが存在しない場合はログインエラー（不図示）がされる。
【０１２６】
ステップＳ４０２では、クライアントＰＣ１０２は、ステップＳ４０１においてログインが行われた場合、メニュー画面９００を表示する。
【０１２７】
ステップＳ４０３では、クライアントＰＣ１０２は、ユーザ操作によって申請待ち９０２が選択される。
【０１２８】
ステップＳ４０４では、クライアントＰＣ１０２は、再申請一覧画面１２００（図１７参照）を表示する。再申請一覧画面１２００には、メール情報テーブル５００の申請状況５０４が２のレコードが該当する。
【０１２９】
ステップＳ４０５では、クライアントＰＣ１０２は、ユーザ操作によってレコード１２０１が選択される。図示している例としては、メールＢが選択されているが、他が選択された場合でも同様の動作をする。
【０１３０】
ステップＳ４０６では、クライアントＰＣ１０２は、ユーザ操作によって選択１２０２が押下されたことを検知する。
【０１３１】
ステップＳ４０７では、クライアントＰＣ１０２は、印刷方法選択画面１３００（図１８参照）を表示する。
【０１３２】
ステップＳ４０８では、クライアントＰＣ１０２は、ユーザ操作によって全印刷１３０１または変更分印刷１３０２が押下されたかを判定し、全印刷１３０１が押下された場合、ステップＳ１０７へ処理を進め、変更分印刷１３０２が押下された場合、ステップＳ４０９へ処理を進める。
【０１３３】
ステップＳ４０９では、クライアントＰＣ１０２は、ユーザ操作によって選択されたメール情報を添付データ解析サーバ１０４に送信する。
【０１３４】
ステップＳ４１０では、添付データ解析サーバ１０４は、ステップＳ４０９において送信されたメール情報を受信する。
【０１３５】
ステップＳ４１１では、添付データ解析サーバ１０４は、ステップＳ４１０で受信したメール情報に基づいてメール情報テーブル５００に問い合わせを行う。
【０１３６】
ステップＳ４１２では、添付データ解析サーバ１０４は、ステップＳ４１１において問合せた結果、該当するメール、添付データを取得する。図示している例ではメールＢに該当するレコードを取得する。
【０１３７】
ステップＳ４１３では、添付データ解析サーバ１０４は、変更分データ印刷準備処理（図８参照）を行う。
【０１３８】
ステップＳ４１４では、添付データ解析サーバ１０４は、変更分の印刷データ（後述する再印刷データリスト）を複合機１０６に送信する。
【０１３９】
この各印刷データには、メールＩＤを含む構成でも良いし、印刷データを一意に識別するために発番したジョブＩＤに対応付けてメールＩＤを記憶しておき、各印刷データにはジョブＩＤを含む構成でも良い。または、ジョブＩＤ及びメールＩＤを印刷データに含む構成でも良い。
【０１４０】
ステップＳ４１５では、複合機１０６は、ステップＳ４１４において送信された変更分の印刷データを受信する。
【０１４１】
ステップＳ４１６では、複合機１０６は、ステップＳ４１５において受信した変更分の印刷データを印刷する。
【０１４２】
ステップＳ４１７では、複合機１０６は、印刷完了通知を添付データ解析サーバ１０４に送信する。この際に、メールＩＤを含めて通知を行っても良いし、ジョブＩＤを含めて通知を行っても良い。さらには、ジョブＩＤ及びメールＩＤを含めて通知を行っても良い。何れの方法を適用するかは、ステップＳ４１４に前述した方法に準じる。
【０１４３】
ステップＳ４１８では、添付データ解析サーバ１０４は、ステップＳ４１８において送信された印刷完了通知を受信する。
【０１４４】
ステップＳ４１９では、添付データ解析サーバ１０４は、変更分データ印刷完了通知をクライアントＰＣ１０２に送信する。
【０１４５】
ステップＳ４２０では、クライアントＰＣ１０２は、ステップＳ４１９において送信された変更分データ印刷完了通知を受信する。
【０１４６】
ステップＳ４２１では、クライアントＰＣ１０２は、メール添付データ変更分印刷画面１４００（図１９参照）を表示する。
【０１４７】
ステップＳ４２２では、クライアントＰＣ１０２は、ユーザ操作によりＯＫ１４０１が押下されると、本処理を終了する。
【０１４８】
次に、図８に示すフローチャートを用いて変更分印刷準備処理について説明する。尚、本処理については、添付データ解析サーバ１０４で実行される。
【０１４９】
ステップＳ５０１では、メール情報テーブル５００、添付データ情報テーブル６００に問い合わせをし、該当するデータを取得する。図示している例の場合、メールＢ（つまり、メールＩＤがＭ０００２のもの）に該当するレコード５０５、レコード６０４、レコード６０５を取得してデータを印刷リストとしてリスト化する。
【０１５０】
ステップＳ５０２では、ステップＳ５０１において作成したリストにデータがあるか否かを判定し、あると判定した場合は、ステップＳ５０３へ処理を進め、ないと判定した場合は、ステップＳ５０７へ処理を進める。
【０１５１】
ステップＳ５０３では、ステップＳ５０１において作成したリストの一番上からレコードを１件取得する。
【０１５２】
ステップＳ５０４では、ステップＳ５０３において取得したレコードを複合機１０６で印刷可能な形式にデータ変換する。例えば、取得したレコードをＰＤＦ形式のファイルへデータ変換する。
【０１５３】
ステップＳ５０５では、ステップＳ５０４において変換したレコードを比較リストに追加する。比較リストはメモリ上に保持される。
【０１５４】
ステップＳ５０６では、ステップＳ５０３において取得したレコードをリストから削除する。削除後、ステップＳ５０２の処理を続けて行う。
【０１５５】
ステップＳ５０７では、ステップＳ５０２においてリストにレコードがなくなった場合に処理を行う。初回申請時に登録した印刷データを印刷データ情報テーブル７００から取得する。図示している例では、メールＢに該当するメールＩＤ７０２がＭ０００２であるレコードをすべて取得する。
【０１５６】
ステップＳ５０８では、ステップＳ５０７において取得した印刷データをリスト化する。このリストを印刷データリストとする。印刷データリストはメモリ上に保持される。
【０１５７】
ステップＳ５０９では、比較リストにレコードがあるか否かを判定し、あると判定した場合は、ステップＳ５１０へ処理を進め、ないと判定した場合は、本処理を終了する。
【０１５８】
ステップＳ５１０では、比較リストの一番上からレコードを１件取得する。
【０１５９】
ステップＳ５１１では、印刷データリストに印刷データがあるか否かを判定し、あると判定した場合は、ステップＳ５１２へ処理を進め、ないと判定した場合は、ステップＳ５１５へ処理を進める。
【０１６０】
ステップＳ５１２では、印刷データリストの一番上から印刷データを１件取得し、ステップＳ５１３では、ステップＳ５１０で取得したレコードとステップＳ５１２で取得した印刷データとが異なるか否かを判定し、異なると判定した場合は、ステップＳ５１１の処理を実行し、同じと判定した場合は、ステップＳ５１４を実行する。
【０１６１】
異なるか否かについては、既存技術を適用するが、例えば、相互の画像を比較して異なるか否かを判定しても良い。
【０１６２】
ステップＳ５１４では、比較リストの一番上のレコードをリストから削除する。削除後はステップＳ５０９を実行する。
【０１６３】
ステップＳ５１５では、ステップＳ５１０で取得したレコードを再印刷データリストに追加する。
【０１６４】
このように、再申請時に上記のような処理を行う理由としては、例えば、注文処理に不備があり、差し戻しが発生した場合を考える。
【０１６５】
担当者が差し戻し理由を確認し、不備を修正して再申請することになるが、修正後にすべてのメール、添付ファイルを印刷すると前の申請から変更されていない紙文書も印刷されることになり、紙の無駄が発生してしまう。
【０１６６】
一方で、担当者が前の申請で印刷したメール、添付ファイルを逐一確認して変更点があったファイルだけ印刷しようとすると確認に手間と時間がかかってしまう。
【０１６７】
紙の無駄を省くために人の手間をかけるか、人の手間を省くためにすべて印刷して紙の無駄を出してしまうか、といった問題が生まれてしまうため、この様な問題を解消するために、再申請時に上記のような処理を行っている。
＜変形例＞
【０１６８】
実施形態では、複合機１０６へ印刷データを送信すると、印刷データを複合機１０６で直ぐに印刷を行っているが、変形例では、印刷データを複合機１０６に記憶しておいた後、ユーザが複合機１０６に対して記憶されている印刷データを選択して印刷指示を行う構成を備える。
【０１６９】
尚、変形例では、実施形態と同様な構成や処理を備えるため、同一の構成や処理については、同一符号を用いて説明し、詳細な説明は省略する。
【０１７０】
複合機１０６は、ステップＳ１１３、ステップＳ４１５において受信した印刷データを印刷ジョブとして登録する。尚、ステップＳ４１５では、既に登録されている元の申請に係る印刷ジョブとは別に、新たに印刷ジョブの登録を行う。尚、登録の際に、承認者が印刷ジョブのオーナーとなるように登録がなされる。
【０１７１】
そして、複合機１０６は、印刷ジョブが登録されているが、未印刷の状態であることを添付データ解析サーバ１０４へ送信する。
【０１７２】
すると、メールＩＤに基づいてメール情報テーブル５００の申請状況を未印刷として記憶する。
【０１７３】
この結果を申請待ち一覧画面１０００に表示すると、図２４に示すように、未申請のものと、申請したが印刷していないものを識別して表示される。印刷状況１００３が、未申請のものは、まだ申請がなされていないレコードであり、印刷状況１００３が、未印刷のものは、申請を行ったが、承認者が印刷をしていないことが示されている。
【０１７４】
そして、承認者が、複合機１０６に対してＩＣカードを翳す等を行ってログインがなされると、図２５に示すジョブ一覧画面１９００が表示され、ログインした承認者の登録されている印刷ジョブが一覧で表示される。
【０１７５】
ジョブ一覧画面１９００には、ログインしているユーザの印刷ジョブの一覧がジョブ表示領域１９０１に表示されるが、各印刷ジョブに対しては、全ての添付データを印刷するのか、あるいは、変更分の添付データのみを印刷するかを識別して印刷属性１９０２へ表示する。
【０１７６】
ユーザは、ジョブ表示領域１９０１に表示されたジョブを選択して印刷ボタン１９０４を押下すると、この選択されたジョブが、ステップＳ１１４及びステップＳ４１６において印刷がなされた後、以降の処理を進める。
【０１７７】
尚、複合機１０６へ印刷ジョブの登録を行っているが、添付データ解析サーバ１０４へ印刷ジョブを登録しておき、何れかの複合機１０６においてログインがなされると、この登録しておいたログインユーザの印刷ジョブをジョブ一覧画面１９００に表示する構成でも良い。
【０１７８】
以上、本発明によれば、申請文書に添付されたファイルを効率よく印刷することで、ユーザの添付ファイルの印刷にかかる作業負荷を軽減することができる。
【０１７９】
以上、実施形態例を詳述したが、本発明は、例えば、システム、装置、方法、プログラムもしくは記憶媒体等としての実施態様を取ることが可能であり、具体的には、複数の機器から構成するシステムに適用しても良いし、また、一つの機器からなる装置に適用しても良い。
【０１８０】
なお、上述した各種データの構成及び表示の構成及びその内容はこれに限定されるものではなく、用途や目的に応じて、様々な内容で構成されることは言うまでもない。
【０１８１】
また、本発明は、システム或いは装置にプログラムを供給することによって達成される場合にも適用できることは言うまでもない。この場合、本発明を達成するためのソフトウェアによって表されるプログラムを格納した記憶媒体を該システム或いは装置に読み出すことによって、そのシステム或いは装置が、本発明の効果を享受することが可能となる。
【０１８２】
さらに、本発明を達成するためのソフトウェアによって表されるプログラムをネットワーク上のサーバ、データベース等から通信プログラムによりダウンロードして読み出すことによって、そのシステム或いは装置が、本発明の効果を享受することが可能となる。
【０１８３】
なお、上述した各実施形態及びその変形例を組み合わせた構成もすべて本発明に含まれるものである。
【符号の説明】
【０１８４】
１００  情報処理システム
１０２  クライアントＰＣ
１０４  添付データ解析サーバ
１０６  複合機
２０１  ＣＰＵ
２０２  ＲＡＭ
２０３  ＲＯＭ
２０４  システムバス
２０５  入力コントローラ
２０６  ビデオコントローラ
２０７  メモリコントローラ
２０８  通信Ｉ／Ｆ（インターフェース）コントローラ
２０９  キーボード
２１０  ＣＲＴ
２１１  外部メモリ
３０１  ＣＰＵ
３０２  ＲＡＭ
３０３  ＲＯＭ
３０４  ＨＤＤ
３０５  Ｎｅｔｗｏｒｋ  Ｉ／Ｆ
３０６  ＭＯＤＥＭ
３０７  操作部  Ｉ／Ｆ
３０８  操作部
３０９  システムバス
３１０  ＲＩＰ
３１１  プリンタ  Ｉ／Ｆ
３１２  プリンタ
３１３  スキャナ  Ｉ／Ｆ
３１４  スキャナ
３１５  画像バス
３１６  コントローラユニット
３１７  画像処理部
３１８  外部  Ｉ／Ｆ
３１９  カードリーダ
【図１】
2018005444.tif 000003
【図２】
2018005444.tif 000004
【図３】
2018005444.tif 000005
【図４】
2018005444.tif 000006
【図５】
2018005444.tif 000007
【図６】
2018005444.tif 000008
【図７】
2018005444.tif 000009
【図８】
2018005444.tif 000010
【図９】
2018005444.tif 000011
【図１０】
2018005444.tif 000012
【図１１】
2018005444.tif 000013
【図１２】
2018005444.tif 000014
【図１３】
2018005444.tif 000015
【図１４】
2018005444.tif 000016
【図１５】
2018005444.tif 000017
【図１６】
2018005444.tif 000018
【図１７】
2018005444.tif 000019
【図１８】
2018005444.tif 000020
【図１９】
2018005444.tif 000021
【図２０】
2018005444.tif 000022
【図２１】
2018005444.tif 000023
【図２２】
2018005444.tif 000024
【図２３】
2018005444.tif 000025
【図２４】
2018005444.tif 000026
【図２５】
2018005444.tif 000027